(57)【要約】【課題】  音の表現の幅を広げることができる一方、保守点検をほとんど不要とし、またバズ音とバズ音が殆ど混入しない音とを各別に生成することができ、更には音質を向上させることができる打楽器を提供する。【解決手段】  打板部１ａの両側部に対向する縦桟１５，１５の間であって天板部１ｂ近傍の位置には、第１バズ音生成部２１，２１に共有された棒状の支持部材２３が横臥してあり、該支持部材２３の両端側の適宜位置にはそれぞれ、弧状になした複数本の弦２４，…が同心状に突設してある。また、打板部１ａの両側部に対向する縦桟１５，１５の間であって底板部１ｄ近傍の位置には第２バズ音生成部２２，２２に共有された棒状の支持部材２３が横臥してあり、該支持部材２３の両端側の適宜位置にはそれぞれ、弧状になした複数本の弦２６，…が同心状に突設してある。【選択図】  図４
2015014654.tif 000002
【特許請求の範囲】
【請求項１】
天板部と、該天板部に対向配置された底板部と、前記天板部と底板部との間に立設された打板部と、該打板部に対向配置された背板部とを具備する多面体殻状の本体を備え、該本体内にバズ音を生成するバズ音生成部が前記打板部に対向配置してあり、前記打板部を叩打して演奏するようになしてある場合、
前記バズ音生成部は、一又は複数の弦の両端部を支持部材に固定することによって当該弦を弧状になして構成してあることを特徴とする打楽器。
【請求項２】
２組の第１バズ音生成部を具備し、一方の第１バズ音生成部は、前記打板部の天板部近傍であって、打板部の一側縁近傍の位置に、また他方の第１バズ音生成部は、前記打板部の天板部近傍であって、打板部の他側縁近傍の位置にそれぞれ配置してある請求項１記載の打楽器。
【請求項３】
更に２組の第２バズ音生成部を具備し、一方の第２バズ音生成部は、前記打板部の底板部近傍であって、打板部の一側縁近傍の位置に、また他方の第２バズ音生成部は、前記打板部の底板部近傍であって、打板部の他側縁近傍の位置にそれぞれ配置してあり、
両第２バズ音生成部に具備された弦の直径は前記第１バズ音生成部に具備された弦の直径より小さくなしてある請求項２記載の打楽器。
【請求項４】
前記支持部材は、支持部材の一側面と打板部の裏面とのなす角が鋭角になるようにしてあり、当該支持部材の一側面に前記弦が突設してある請求項１から３のいずれかに記載の打楽器。
【請求項５】
前記背板部の天板部近傍の高さ位置に、生成した音を外部へ放出するための放音穴が開設してある請求項１から４のいずれかに記載の打楽器。
【請求項６】
前記打板部は本体に接着固定してある請求項１から５のいずれかに記載の打楽器。
【請求項７】
前記打板部の両側には側板部が設けてあり、少なくとも一方の側板部には当該側板部を貫通する貫通孔が開設してあり、該貫通孔の開口度を調整する調整蓋が回動可能に設けてある請求項１から請求項６のいずれかに記載の打楽器。
【発明の詳細な説明】
【技術分野】
【０００１】
本発明は多面体殻状の打楽器に関する。
【背景技術】
【０００２】
内部が空洞の箱体の正面を主な打板部とし、当該打板部を奏者が掌で叩打して演奏を行うカホンと称される打楽器がある。かかる箱状の打楽器にあっては、スネアドラムを叩打したときに生じる音に比喩される、所謂バズ音を生成させることが要求されている。このバズ音を生成させる打楽器として、ギターの弦といったワイヤを前記打板部の裏面に張設するワイヤ型と、複数のワイヤ又はコイル線を互いに平行に配し、各両端を固定片にて固定してなり、スネアドラムに用いられる響き線を前記打板部の裏面に張設する響き線型とが開発されている。
【０００３】
図７は、後述する特許文献１に開示されたワイヤ型の打楽器を示す分解斜視図であり、図中、５１は直方体殻状の本体である。本体５１の正面は奏者が掌で叩打する打板部５１ａになしてあり、打板部５１ａは図示しないネジによって着脱可能になしてある。この打板部５１ａの裏面に、バズ音を発生させるための複数の弦６２，６２，…が配置してある。前記本体５１を構成する天板部５１ｂの下面には弦６２，６２，…の一端を固定する筒状の第１固定部７１が、その中心軸が本体５１の奥行き方向と平行になるように垂設してあり、また本体５１を構成する底板部５１ｄの上面であって、前記第１固定部７１に対向する位置には前記弦６２，６２，…の他端を固定する筒状の第２固定部７２がその中心軸が本体５１の奥行き方向と平行になるように取り付けてある。
【０００４】
第１固定部７１の内部は、本体５１の幅方向へ配列した小筒状の複数（図７にあっては４つ）のセル７１ａ，７１ａ，７１ａ，７１ａに分割してあり、各セル７１ａ，７１ａ，７１ａ，７１ａ内には図示しないスライド部がそれぞれ摺動可能に挿入してある。また、第２固定部７２の内部も、本体５１の幅方向へ配列した小筒状の複数（図７にあっては６つ）のセル７２ａ，７２ａ，７２ａ，７２ａ，７２ａ，７２ａに分割してあり、本体５１の両側からそれぞれ２つ目のセル７２ａ，７２ａ内には図示しないスライド部が摺動可能に挿入してある。第１固定部７１を構成する各（図７にあっては外側の２つの）スライド部の先端には複数（図７にあっては３本）の弦６２，６２，６２、６２，６２，６２の一端が固定してあり、第２固定部７２を構成する両スライド部の先端には両組の複数の弦６２，６２，６２、６２，６２，６２の他端がそれぞれ固定してある。
【０００５】
第１固定部７１を構成する各スライド部の基端にはナットがそれぞれ埋設してあり、各ナットには長脚のボルトの一端が螺入してある。同様に、第２固定部７２を構成する両スライド部の基端にはナットがそれぞれ埋設してあり、各ナットには長脚のボルトの一端が螺入してある。そして、これらボルトの他端は本体５１の背板部を貫通させて、本体５１の背板部の背面側に配設された操作ノブ（いずれも図示せず）に連結してある。
【０００６】
一方、前述した第２固定部７２には平板状の支持部７３，７３がその一端部を第２固定部７２から突出するように取り付けてあり、該支持部７３，７３によって弦６２，６２，６２、６２，６２，６２を打板部５１ａに密接させるようになっている。
【０００７】
このような打楽器にあっては、各操作ノブを各別に操作することによって、適宜のスライド部を進退させ、当該スライド部に固定された弦６２，６２，…を打板部５１ａへ密接する方向，又は打板部５１ａから離隔する方向へ移動させるとともに、弦６２，６２，…を緊張又は弛緩させ、それによって所要のバズ音に調整することができる。
【０００８】
一方、図８は響き線型打楽器の内部構成の一例を示す背面図であり、背板部を取り外した状態を示している。本体８１を構成する一側板部８１ｃの裏面であって、天板部８１ｂ近傍の高さ位置には、基板部９１が打板部８１ａから適宜の間隙を隔てて固定してあり、該基板部９１の打板部８１ａ側の縁部には板状の支持部９２がヒンジによって揺動可能に取り付けてある。基板部９１にはアーム部９３が片持ち支持されており、該アーム部９３の先端に垂下したバネ部材（図示せず）によって前記支持部９２は打板部８１ａ側へ付勢されている。
【０００９】
支持部９２の打板部８１ａに対向する面には、響き線を両端固定部間の略中央位置で切断してなる一対の響き線片９６，９６の固定部がそれぞれ固定してあり、両響き線片９６，９６の他端側は支持部９２から突出して、本体８１を構成する他側板部８１ｃの近傍位置まで延設されている。前述した如く支持部９２が打板部８１ａ側へ付勢されているため、両響き線片９６，９６の他端側は、打板部８１ａの裏面であって一側板部８１ｃの近傍位置から他側板部８１ｃの近傍位置までの領域に強く密接されている。なお、打板部８１ａ及び／又は前述した背板部はネジによって着脱可能になしてあり、打板部８１ａ及び／又は背板部を取り外して、響き線片９６，９６を保守点検し得るようになしてある。
【先行技術文献】
【特許文献】
【００１０】
【特許文献１】特開２０１１−８０４０号公報
【発明の概要】
【発明が解決しようとする課題】
【００１１】
しかしながら、特許文献１に開示されたワイヤ型の打楽器にあっては、弦６２，６２，…に与えられた張力によって弦６２，６２，…が伸長して、弦６２，６２，…によって生じるバズ音が変化するため、一定のバズ音を得るべく弦６２，６２，…に与える張力を調整する必要があった。更には、前記張力によって弦６２，６２，…が経時的に劣化して行くため、適宜期間ごとに弦６２，６２，…を張り替えなければならず、弦６２，６２，…の調整及び張り替え作業に多くの手間を要していた。また、弦６２，６２，…の調整及び張り替え作業を行うために、前述した如く打板部５１ａはネジによって着脱可能にしてあるが、かかるネジ止による締力に耐え得るように、打板部５１ａは所要寸法以上の厚さ寸法にしなければならず、打板部５１ａを叩打した際の音質を向上させ、また叩打の強弱による音の表現の幅を広げるには限界があった。
【００１２】
一方、前述した響き線型の打楽器にあっては、響き線を両端固定部間の略中央位置で切断してなる一対の響き線片９６，９６を用いているため、バズ音を発生させるべく、響き線片９６，９６の他端側を打板部８１ａの裏面に強く当接させる必要があった。これは、響き線を両端固定部間の略中央位置で切断してなる響き線片９６にあっては、響き線を構成する複数のワイヤの先端が自由であるので、各ワイヤの先端、即ち響き線片９６の他端側を打板部８１ａの裏面に強く当接させないと、バズ音を生成する際に各ワイヤの先端が暴れてしまい、良好なバズ音を生成することができないからである。
【００１３】
しかし、響き線片９６，９６の他端側を打板部８１ａの裏面に強く当接さると、打板部８１ａを弱く叩打した場合に響き線片９６，９６が反応しないことがあり、叩打の強弱による表現の幅を広げるには限界があった。また、響き線片９６，９６の他端側を打板部８１ａの裏面に強く密接させているため、定期的に響き線片９６，９６を保守点検する必要があり、多くの手間を要していた。更に、打板部８１ａ及び／又は背板部はネジによって着脱可能にしてあるが、かかるネジ止による締力に耐え得るように、打板部８１ａ及び／又は背板部は所要寸法以上の厚さ寸法にしなければならなかった。このように、打板部８１ａを着脱可能になした場合は、前同様、当該打板部８１ａを叩打した際の音質を向上させ、また叩打の強弱による音の表現の幅を広げるには限界があった。また、背板部を着脱可能になした場合は、背板部の反響による音質の向上に限界があった。
【００１４】
更に、ワイヤ型及び響き線型いずれの打楽器にあっても、弦６２，６２，…及び響き線片９６，９６の他端側が打板部５１ａ，８１ａの中央領域にかかっている。ところで、打板部５１ａ，８１ａの中央領域にあっては打板部５１ａ，８１ａの他の領域を叩打した場合に比べて低い音が生じるため、かかる領域を叩打した際の音にバズ音が混入しなければ、バスドラムに対応する音として使用することができる。しかし、前述したように、従来のいずれの打楽器にあっても、弦６２，６２，…及び響き線片９６，９６の他端側が打板部５１ａ，８１ａの中央領域にかかっているため、打板部５１ａ，８１ａの中央領域を叩打すると必ずバズ音が混入してしまうという問題があった。
【００１５】
本発明は斯かる事情に鑑みてなされたものであって、音の表現の幅を広げることができる一方、保守点検をほとんど不要とし、またバズ音とバズ音が殆ど混入しない音とを各別に生成することができ、更には音質を向上させることができる打楽器を提供する。
【課題を解決するための手段】
【００１６】
（１）本発明に係る打楽器は、天板部と、該天板部に対向配置された底板部と、前記天板部と底板部との間に立設された打板部と、該打板部に対向配置された背板部とを具備する多面体殻状の本体を備え、該本体内にバズ音を生成するバズ音生成部が前記打板部に対向配置してあり、前記打板部を叩打して演奏するようになしてある場合、前記バズ音生成部は、一又は複数の弦の両端部を支持部材に固定することによって当該弦を弧状になして構成してあることを特徴とする。
【００１７】
本発明の打楽器にあっては、天板部と、該天板部に対向配置された底板部と、前記天板部と底板部との間に立設された打板部と、該打板部に対向配置された背板部とを具備する多面体殻状の本体を備えており、この本体内にバズ音を生成するバズ音生成部が前記打板部に対向配置してある。そして、バズ音生成部は、一又は複数の弦の両端部を支持部材に固定することによって当該弦を弧状になして構成してある。このように、弧状になした一又は複数の弦を備えるバズ生成器にあっては、当該弦に張力が与えられていないため、弦の調整又は張り替えといった保守点検が殆ど不要である。
【００１８】
一方、弦の先端部分が弧状であるため、弦の先端部分を打板部へ当接させる力を可及的に弱くしても、弦の先端部分が暴れることなく良好なバズ音を生成することができる。そのため、弦の先端部分を打板部へ当接させる力を可及的に弱くすることによって、打板部を弱く叩打したときでもバズ音生成部の弦を反応させることができ、叩打の強弱による音の表現の幅を広げることができる。
【００１９】
更に、バズ音生成部は、前述したように一又は複数の弦の両端部を支持部材に固定することによって当該弦を弧状になして構成してあるため、コンパクトである。従って、打板部においてバズ音生成部が配設された部分を叩打した場合はバズ音を生成することができ、それ以外の部分を叩打した場合はバズ音が殆ど混入しない音を生成することができる。
【００２０】
（２）本発明に係る打楽器は、２組の第１バズ音生成部を具備し、一方の第１バズ音生成部は、前記打板部の天板部近傍であって、打板部の一側縁近傍の位置に、また他方の第１バズ音生成部は、前記打板部の天板部近傍であって、打板部の他側縁近傍の位置にそれぞれ配置してあることを特徴とする。
【００２１】
本発明の打楽器にあっては、２組の第１バズ音生成部を具備している。そして、一方の第１バズ音生成部は、前記打板部の天板部近傍であって、打板部の一側縁近傍の位置に配置してあり、また、他方の第１バズ音生成部は、前記打板部の天板部近傍であって、打板部の他側縁近傍の位置に配置してある。打板部の天板部近傍であって、打板部の一側縁近傍の位置は、打板部の角部近傍の部分であるので他の部分より高い音が生成される。そして、この位置に第１バズ音生成部が配設されており、第１バズ音生成部によるバズ音が加わるため、スネアドラムに近い音が生成される。
【００２２】
一方、打板部の両第１バズ音生成部の間隙の部分には、いずれの第１バズ音生成部もかからない。打板部の高さ方向の上位位置であって、打板部の幅方向の中央部分は、打板部の角部より低い音が生成される。そして、この部分にはいずれの第１バズ音生成部もかからないため、バズ音が殆ど生成されない。従って、打板部のかかる部分を叩打することによって、スネアドラムより低いタムに近い音が生成される。
【００２３】
一方、打板部の中央部分は他の部分より低い音が生成されるが、この部分にもいずれの第１バズ音生成部もかからないため、バズ音が殆ど生成されない。従って、打板部のかかる部分を叩打することによって、最も低いバスドラムに近い音が生成される。このように、音の表現の幅を広げることができると共に、バズ音とバズ音が殆ど混入しない音とを各別に生成することができる。
【００２４】
（３）本発明に係る打楽器は、更に２組の第２バズ音生成部を具備し、一方の第２バズ音生成部は、前記打板部の底板部近傍であって、打板部の一側縁近傍の位置に、また他方の第２バズ音生成部は、前記打板部の底板部近傍であって、打板部の他側縁近傍の位置にそれぞれ配置してあり、両第２バズ音生成部に具備された弦の直径は前記第１バズ音生成部に具備された弦の直径より小さくなしてあることを特徴とする。
【００２５】
本発明の打楽器にあっては、更に２組の第２バズ音生成部を具備している。一方の第２バズ音生成部は、前記打板部の底板部近傍であって、打板部の一側縁近傍の位置に配置してあり、また、他方の第２バズ音生成部は、前記打板部の底板部近傍であって、打板部の他側縁近傍の位置に配置してある。そして、両第２バズ音生成部に具備された弦の直径は第１バズ音生成部に具備された弦の直径より小さくなしてある。
【００２６】
打板部を叩打する力が弱い場合、本体の高さ方向の高位に配設された両第１バズ音生成部はあまり反応しない一方、弱い振動であっても打板部の高さ方向の低位まで伝達して、そこに配設された両第２バズ音生成部が反応してバズ音が生成される。一方、打板部を叩打する力が強い場合、打板部の高さ方向の低位に配置された両第２バズ音生成部のバズ音に加えて、打板部の高さ方向の高位に配置された両第１バズ音生成部のバズ音も生成されるため、より迫力のあるバズ音が生成される。このように、打板部を叩打する力が強い場合はより迫力のあるバズ音が生成され、打板部を叩打する力が弱い場合はより小さなバズ音が生成されるため、音の表現幅が広い。
【００２７】
（４）本発明に係る打楽器は、前記支持部材は、支持部材の一側面と打板部の裏面とのなす角が鋭角になるようにしてあり、当該支持部材の一側面に前記弦が突設してあることを特徴とする。
【００２８】
本発明の打楽器にあっては、前記支持部材は、支持部材の一側面と打板部の裏面とのなす角が鋭角になるようにしてあり、当該支持部材の一側面に前記弦が突設してある。これによって、弧状になされた弦の先端部分を打板部の裏面に当接させることができる。
【００２９】
（５）本発明に係る打楽器は、前記背板部の天板部近傍の高さ位置に、生成した音を外部へ放出するための放音穴が開設してあることを特徴とする。
【００３０】
本発明の打楽器にあっては、背板部の天板部近傍の高さ位置に、生成した音を外部へ放出するための放音穴が開設してある。放音穴は１つでも複数でもよく、その形状も楕円又は長円等、適宜の形状でよい。
【００３１】
ところで、打板部の天板部側の領域を叩打すると高音側の音が生じるが、背板部のかかる高さ位置に放音穴を開設することによって、背板部にて当該音を遮ることなく直接放出させることができ、高音側の音質が向上する。一方、低音側の音は打板部の中央位置を叩打することによって生成することができるが、低音側の音には前述した如き高音側の音のような放音穴の位置依存性が無いため、放音穴を背板部の中央より高い適宜位置に開設した場合であっても低音側の音質に悪影響を及ぼすことはない。
【００３２】
（６）本発明に係る打楽器は、前記打板部は本体に接着固定してあることを特徴とする。
【００３３】
本発明の打楽器にあっては、前述したようにバズ音生成部の保守点検が殆ど不要であるので、打板部は本体に接着固定してある。このように打板部を本体に接着固定するので、打板部の厚さ寸法をより薄くすることができる。従って、打板部の音質を向上させることができる。
【００３４】
（７）本発明に係る打楽器は、前記打板部の両側には側板部が設けてあり、少なくとも一方の側板部には当該側板部を貫通する貫通孔が開設してあり、該貫通孔の開口度を調整する調整蓋が回動可能に設けてあることを特徴とする。
【００３５】
本発明の打楽器にあっては、打板部の両側には側板部が設けてあり、少なくとも一方の側板部には当該側板部を貫通する貫通孔が開設してある。そして、この貫通孔の開口度を調整する調整蓋が回動可能に設けてある。本打楽器による演奏をマイクで集音する際にハウリングを生じる場合があるが、蓋部材によって貫通孔の開口度を調整することによって、前記ハウリングを防止することができる。
【図面の簡単な説明】
【００３６】
【図１】本発明に係る打楽器の一例を示す外観斜視図である。
【図２】本発明に係る打楽器の一例を示す外観斜視図である。
【図３】図１に示した打楽器の側断面図である。
【図４】図１に示した打楽器の背面断面図である。
【図５】図３及び図４に示した支持部材の一端部側を示す部分斜視図である。
【図６】図５に示した支持部材の端面図である。
【図７】従来のワイヤ型の打楽器を示す分解斜視図である。
【図８】響き線型打楽器の内部構成の一例を示す背面図である。
【発明を実施するための形態】
【００３７】
本発明に係る打楽器について図面を用いて詳述する。なお、本実施の形態で説明する事柄は、本発明の趣旨を説明する一例であり、本発明はその趣旨を逸脱しない範囲での変形又は改造を含むことはいうまでもない。
【００３８】
図１及び図２は本発明に係る打楽器の一例を示す外観斜視図であり、図１は正面側を、図２は背面側をそれぞれ示している。また、図３は図１に示した打楽器の側断面図であり、図４は図１に示した打楽器の背面断面図である。本打楽器は直方体殻状の本体１を備えている。該本体１は、奏者が叩打する打板部１ａを正面にして、打板部１ａの両側に配された側板部１ｃ，１ｃ、打板部１ａに対向配置された背板部１ｅ、打板部１ａ、両側板部１ｃ，１ｃ及び背板部１ｅの上端に担持され、それらで囲繞される領域を塞止する天板部１ｂ、並びに天板部１ｂに対向配置された底板部１ｄで構成されており、底板部１ｄの下面の適宜位置には脚部２０，２０，２０，２０が取り付けてある。
【００３９】
これら打板部１ａ、両側板部１ｃ，１ｃ、背板部１ｅ、天板部１ｂ及び底板部１ｄは木材、樹脂又は／及び金属材等、適宜の材料を用いることができる。例えば、打板部１ａ及び背板部１ｅには無垢の板材を用い、両側板部１ｃ，１ｃ、天板部１ｂ及び底板部１ｄには合板材を用いることによって、所要の音質及び強度を得ると共に、材料コストを廉価にすることができる。なお、本実施の形態では、直方体殻状の本体１を備える場合について説明するが、本発明はこれに限らず、４面又は８面体等、多面体殻形であればよい。
【００４０】
図３及び図４に示したように、打板部１ａと両側板部１ｃ，１ｃとが接合する角部、背板部１ｅと両側板部１ｃ，１ｃとが接合する角部にはそれぞれ、打板部１ａ及び両側板部１ｃ，１ｃの高さ寸法と同じ長さ寸法の縦桟１５，１５，１５，１５が固着してある。また、互いに対向する各縦桟１５，１５、１５，１５、１５，１５、１５，１５の上端部間及び下端部間にはそれぞれ横桟１６，１６、１６，１６、…，…が架設してあり、横桟１６，１６、１６，１６、…，…は天板部１ｂと打板部１ａ、両側板部１ｃ，１ｃ及び背板部１ｅとが接合する各角部、並びに打板部１ａ、両側板部１ｃ，１ｃ及び背板部１ｅの下縁内面に固着してある。これら縦桟１５，１５，１５，１５及び横桟１６，１６、１６，１６、…，…によって、本体１の骨格フレームが形成されている。
【００４１】
前述した天板部１ｂ、両側板部１ｃ，１ｃ及び底板部１ｄは、所要の強度が得られる厚さ寸法の板材を用いて構成してある。一方、打板部１ａ及び背板部１ｅはそれらより薄い適宜厚さ寸法の板材を用いており、縦桟１５，１５，１５，１５及びそれらに対向配置された横桟１６，１６、１６，１６、並びに両側板部１ｃ，１ｃの端面に接着剤を用いて接着させてある。ここで、天板部１ｂ、両側板部１ｃ，１ｃ及び底板部１ｄの厚さ寸法としては１０〜１３ｍｍ程度を採用することができ、打板部１ａ及び背板部１ｅの厚さ寸法としては３〜５ｍｍ程度を採用することができる。なお、天板部１ｂ、両側板部１ｃ，１ｃ及び底板部１ｄには合板を用い、打板部１ａ及び背板部１ｅには無垢材を用いた場合を示している。
【００４２】
ここで、従来の打楽器では、打板部を、天板部、両側板部及び底板部の端面にネジ止していたため、比較的薄い厚さ寸法の打板部を用いた場合、叩打した際の衝撃によって打板部のネジ止された部分が次第に崩壊して行き、これによって音質が漸次低下する。そのため、叩打による衝撃に耐え得る厚さ寸法の打板部になしてあるが、叩打の強弱による音の表現幅は狭かった。これに対して、本発明に係る打楽器にあっては、前述した如く打板部１ａを縦桟１５，１５，１５，１５及び横桟１６，１６、１６，１６、並びに両側板部１ｃ，１ｃの端面に接着させてあるため、より薄い厚さ寸法の打板部１ａであっても叩打した際の衝撃に耐え得ることができ、音質の低下を回避することができる。また、より薄い適宜厚さ寸法の打板部１ａを配設することによって、叩打の強弱による音の表現幅を拡大させることができる。更に、より薄い適宜厚さ寸法の背板部１ｅを用いることによって、叩打した際の音質を向上させることができる。
【００４３】
図２に示したように、この背板部１ｅの中央より高い適宜位置には横長の放音穴２が開設してあり、これによって打板部１ａの天板部１ｂ側の領域を叩打した際に生じる高音側の音を背板部１ｅによって遮ることなく直接放出させることができるため、高音側の音質が向上する。一方、後述するように低音側の音は打板部１ａの中央位置を叩打することによって生成することができるが、低音側の音には前述したような放音穴２の位置依存性が無いため、放音穴２を背板部１ｅの中央より高い適宜位置に開設した場合であっても低音側の音質に悪影響を及ぼすことはない。なお、放音穴２は１つでも複数でもよく、その形状も楕円又は長円等、適宜の形状でよい。
【００４４】
前述した底板部１ｄは図示しないネジによって両側板部１ｃ，１ｃの端面に着脱可能に固定してあり、底板部１ｄを取り外すことによって、後述する第１バズ音生成部２１，２１及び第２バズ音生成部２２，２２を調整し得るようになっている。
【００４５】
ところで、図１に示したように、側板部１ｃの適宜位置には当該側板部１ｃを貫通する貫通孔３が開設してあり、該貫通孔３は回動可能に設けられた蓋部材４によって適宜の開口度になるように開閉されるようになっている。本打楽器による演奏をマイクで集音する際にハウリングを生じる場合があるが、蓋部材４によって貫通孔３の開口度を調整することによって、前記ハウリングを防止することができる。
【００４６】
打板部１ａの両側部に対向する縦桟１５，１５の間であって天板部１ｂ近傍の位置には、第１バズ音生成部２１，２１に共有された棒状の支持部材２３が打板部１ａの裏面から適宜間隙を隔てて横臥してあり、該支持部材２３の両端側の適宜位置にはそれぞれ、弧状になした複数本（図４にあっては３本）の弦２４，２４，２４、２４，２４，２４が同心状に突設してある。また、打板部１ａの両側部に対向する縦桟１５，１５の間であって底板部１ｄ近傍の位置には第２バズ音生成部２２，２２に共有された棒状の支持部材２３が打板部１ａの裏面から適宜間隙を隔てて横臥してあり、該支持部材２３の両端側の適宜位置にはそれぞれ、弧状になした複数本（図４にあっては３本）の弦２６，２６，２６、２６，２６，２６が同心状に突設してある。
【００４７】
図５は図３及び図４に示した支持部材２３の一端部側を示す部分斜視図であり、図６は図５に示した支持部材２３の端面図である。支持部材２３は側断面視が一側から他側へ亘って漸次高さ寸法が減少する台形状をなしており、支持部材２３の端部は他の部分より一段低くして前述した縦桟１５（図３参照）に連結させる連結部２３ａになしてある。支持部材２３の他側面には、第１バズ音生成部２１又は第２バズ音生成部２２を構成する弦２４，２４，２４、２６，２６，２６（いずれも図４参照）の数に応じた複数対の（図５では３対）の固定用孔２３ｂ，２３ｂ、２３ｂ，２３ｂ、２３ｂ，２３ｂが支持部材２３の長手方向へ適宜の距離を隔てて貫通してあり、対をなす固定用孔２３ｂ，２３ｂ、２３ｂ，２３ｂ、２３ｂ，２３ｂに前述した弦２４，２４，２４、２６，２６，２６（図４参照）の両端をそれぞれ挿入させてネジ等によって固定するようになっている。
【００４８】
このような固定用孔２３ｂ，２３ｂ、２３ｂ，２３ｂ、２３ｂ，２３ｂは支持部材２３の他端側にも設けてあり、前同様、対をなす固定用孔に弦２４，２４，２４、２６，２６，２６（図４参照）の両端をそれぞれ挿入させてネジ等によって固定する。
【００４９】
かかる支持部材２３の他側面にそれぞれ第１バズ音生成部２１又は第２バズ音生成部２２を構成する弦２４，２４，２４、２６，２６，２６を弧状に固定しておき、図３及び図４に示したように、第１バズ音生成部２１，２１にあっては支持部材２３の他側面が天板部１ｂに対向するように配置し、また第２バズ音生成部２２，２２にあっては支持部材２３の他側面が底板部１ｄに対向するように配置して、両支持部材２３，２３の連結部２３ａ（２３ａ），２３ａ（２３ａ）（図６参照）を対向する縦桟１５，１５に連結固定してある。なお、支持部材２３の連結部２３ａと他の部分との段差寸法は、前述した縦桟１５の厚さ寸法より小さくしてあり、これによって支持部材２３と打板部１ａとの間に適宜の間隙が形成されるようになっている。
【００５０】
前述したように支持部材２３は側断面視が一側から他側へ亘って漸次高さ寸法が減少する台形状をなしており、支持部材２３，２３の連結部２３ａ（２３ａ），２３ａ（２３ａ）を縦桟１５，１５に連結させた場合、支持部材２３，２３の他側面と打板部１ａとのなす角が鋭角になり、これによって支持部材２３，２３の他側面に固定された弦２４，２４，２４、２４，２４，２４、２６，２６，２６、２６，２６，２６が打板部１ａに押しつけられるようになっている。従って、第１バズ音生成部２１，２１の弦２４，２４，２４、２４，２４，２４に対向する部分を叩打した場合、打板部１ａの振動によって各組の弦２４，２４，２４、２４，２４，２４が打板部１ａと細かく接離してバズ音が発生する。なお、支持部材２３，２３の他側面と打板部１ａとのなす角は、第１バズ音生成部２１，２１及び第２バズ音生成部２２，２２を構成する各弦２４，２４，２４、２４，２４，２４、２６，２６，２６、２６，２６，２６が打板部１ａに比較的弱い当接力で当接するように調整してある。
【００５１】
図４に示したように、第１バズ音生成部２１，２１の弦２４，２４，２４、２４，２４，２４に対向する部分は、打板部１ａの角部近傍の部分であるので他の部分より高い音が生成される。そして、これにバズ音が加わるため、スネアドラムに近い音が生成される。
【００５２】
ところで、第２バズ音生成部２２，２２の各弦２６，２６，２６、２６，２６，２６の直径は、第１バズ音生成部２１，２１の各弦２４，２４，２４、２４，２４，２４の直径より小さくしてある。例えば、第２バズ音生成部２２，２２の各弦２６，２６，２６、２６，２６，２６には１．０ｍｍ以上１．３ｍｍ以下の直径のギター用弦を用い、第１バズ音生成部２１，２１の各弦２４，２４，２４、２４，２４，２４には１．２ｍｍ以上１．５ｍｍ以下の直径のギター用弦を用いるとよい。
【００５３】
この場合、打板部１ａを叩打する力が弱い場合、第１バズ音生成部２１，２１の各弦２４，２４，２４、２４，２４，２４はあまり反応しない。ところが、打板部１ａの厚さ寸法が小さいため、弱い振動であっても打板部１ａの高さ方向の低位まで伝達して、そこに配設された第２バズ音生成部２２，２２の各弦２６，２６，２６、２６，２６，２６が反応してバズ音が生成される。一方、打板部１ａを叩打する力が強い場合、第１バズ音生成部２１，２１の各弦２４，２４，２４、２４，２４，２４が反応してバズ音が発生するのに加えて、第２バズ音生成部２２，２２の各弦２６，２６，２６、２６，２６，２６のバズ音も生成されるため、より迫力のあるバズ音が生成される。このように、打板部１ａを叩打する力が強い場合はより迫力のあるバズ音が生成され、打板部１ａを叩打する力が弱い場合はより小さなバズ音が生成されるため、音の表現幅が広い。
【００５４】
また、前述したように第１バズ音生成部２１，２１にあっては、支持部材２３の両端側の適宜位置に２組の弦２４，２４，２４、２４，２４，２４が配設してあり、図４に示したように支持部材２３の中央領域にはいずれの組の弦２４，２４，２４、２４，２４，２４もかからないようになっている。打板部１ａの高さ方向の上位位置であって、打板部１ａの幅方向の中央部分は、打板部１ａの角部より低い音が生成される。そして、この部分には第１バズ音生成部２１，２１のいずれの組の弦２４，２４，２４、２４，２４，２４もかからないため、バズ音が殆ど生成されない。従って、打板部１ａのかかる部分を叩打することによって、スネアドラムより低いタムに近い音が生成される。
【００５５】
一方、打板部１ａの中央部分は他の部分より低い音が生成されるが、この部分には第１バズ音生成部２１，２１及び第２バズ音生成部２２，２２に設けたいずれの組の弦２４，２４，２４、２４，２４，２４、２６，２６，２６、２６，２６，２６もかからないため、バズ音が殆ど生成されない。従って、打板部１ａのかかる部分を叩打することによって、最も低いバスドラムに近い音が生成される。
【００５６】
このような打楽器にあっては、前述したように、第１バズ音生成部２１及び第２バズ音生成部２２は、各弦２４，２４，２４、２６，２６，２６の両端部を支持部材２３，２３に固定することによって当該弦２４，２４，２４、２６，２６，２６を弧状になして構成してあるため、当該弦２４，２４，２４、２６，２６，２６に張力が与えられておらず、従って弦２４，２４，２４、２６，２６，２６の調整又は張り替えといった保守点検が殆ど不要である。
【００５７】
一方、弦２４，２４，２４、２６，２６，２６の先端部分が弧状であるため、弦２４，２４，２４、２６，２６，２６の先端部分を打板部１ａへ当接させる力を可及的に弱くしても、弦２４，２４，２４、２６，２６，２６の先端部分が暴れることなく良好なバズ音を生成することができる。そのため、弦２４，２４，２４、２６，２６，２６の先端部分を打板部へ当接させる力を比較的に弱くすることによって、打板部１ａを比較的弱く叩打したときでも第１バズ音生成部２１及び第２バズ音生成部２２の弦２４，２４，２４、２６，２６，２６を反応させることができ、叩打の強弱による音の表現の幅を広げることができる。
【００５８】
更に、第１バズ音生成部２１及び第２バズ音生成部２２は、前述したように弦２４，２４，２４、２６，２６，２６の両端部を支持部材２３，２３に固定することによって当該弦２４，２４，２４、２６，２６，２６を弧状になして構成してあるため、コンパクトである。従って、打板部１ａにおいて第１バズ音生成部２１及び第２バズ音生成部２２が配設された部分を叩打した場合はバズ音を生成することができ、それ以外の部分を叩打した場合はバズ音が殆ど混入しない音を生成することができる。即ち、バズ音の分離能が高い。
【符号の説明】
【００５９】
１    本体
１ａ  打板部
１ｂ  天板部
１ｃ  側板部
１ｄ  底板部
１ｅ  背板部
２    放音穴
３    貫通孔
４    蓋部材
１５    縦桟
１６    横桟
２１    第１バズ音生成部
２２    第２バズ音生成部
２３    支持部材
２４    弦
２６    弦
【図１】
2015014654.tif 000003
【図２】
2015014654.tif 000004
【図３】
2015014654.tif 000005
【図４】
2015014654.tif 000006
【図５】
2015014654.tif 000007
【図６】
2015014654.tif 000008
【図７】
2015014654.tif 000009
【図８】
2015014654.tif 000010